(57)【要約】【課題】尿受け器をオムツの間に挟持して使用する女性用尿吸引装置を提供する。【解決手段】負圧発生装置３とリザーブタンク２に着脱可能に螺合された蓋体１１に吸引管５、６を介して連結された前記尿受け器１。該尿受け器１の下部に突起部があり、該尿受け器１は該オムツの内面から弾性体１７を介して肌面へ押圧され、尿漏れを防止すると共に該尿受け器１に連結された尿吸引管５および尿、便検出用信号線７を前記オムツの開口部に配設した。【選択図】図１
2015092945.tif 000002
【特許請求の範囲】
【請求項１】
負圧発生装置と前記リザーブタンクから前記吸引管を介して連結された前記尿受け器において、前記オムツの間に挟持するだけで簡単に着脱でき、前記弾性体によって肌面へ押圧し、尿漏れを防止するようにした該尿受け器を備えたことを特徴とする尿吸引装置。
【請求項２】
該尿受け器の下部に突起部を設けたことを特徴とする請求項１に記載の尿吸引装置。
【請求項３】
前記尿吸引管および、尿、便検出用信号線を該オムツの開口部に配設したことを特徴とする請求項１に記載の尿吸引装置。
【請求項４】
排尿時に該尿受け器の肌面への前記接触圧力を少なくとも(２０g／ｃｍ２)以上とするため、該尿受け器の肌面への接触部が、少なくとも半径５ｍｍ以上の接触曲面を持ち、かつ該接触圧力を付加するため、該尿受け器を該弾性体により押圧したことを特徴とする請求項１に記載の尿吸引装置。
【請求項５】
尿検出部を該尿受け器の前記尿吸引パイプの背面に設け、また、該尿検出部を少なくとも片方、または両方を上部から下方向に向かって設置するようにしたことを特徴とする請求項１に記載の尿吸引装置。
【請求項６】
該便検出部を前記尿受け器の下端部の凹部形状の内側に設けたことを特徴とする請求項１に記載の尿吸引装置。
【請求項７】
該尿受け器の上部に前記換気孔を設け、排尿が終了した時点から一定時間のタイマーにより空気の流入を継続させることを特徴とする請求項１に記載の尿吸引装置。
【請求項８】
請求項１における尿吸引装置において、便、満杯検出等により、コントローラーを経由して、識別した警報を介護者に伝達する手段を設けたことを特徴とする請求項１に記載の尿吸引装置。
【発明の詳細な説明】
【技術分野】
【０００１】
本発明は尿吸引装置に関するものである。
【背景技術】
【０００２】
近年、高齢化社会を迎え、施設の余裕もなく、在宅介護を余儀なくされている方が増えている。それに伴い介護者の負担も大きくなってきた。特に排泄介護の負担は大変なものがある。排泄介護は介護者の負担はもとより、被介護者にも人権を軽視され、我慢を強いられることになる。また、オムツ等の介護用品の消費も膨大なものがある。
【０００３】
既に、負圧発生装置とリザーブタンクから吸引管を介して連結された尿受け器において、該尿受け器の固定方法が装着具で装着する、身体に接着する、手動で押圧する、特殊オムツを用いる等が提案されている。
【０００４】
しかし、該オムツの交換や装着具による装着等被介護者の身体移動を伴う動作において、介護者は腰痛等の身体的負担が大きいと言う問題がある。
【先行技術文献】
【特許文献】
【０００５】
【特許文献１】特開平１１−２０６８２５号公報
【特許文献２】特開２００３−１２６２４２号公報
【特許文献３】特開２００３−５２５６４４号公報
【特許文献４】特開２００９−１８９５７９号公報
【発明の概要】
【発明が解決しようとする課題】
【０００６】
本発明は上記問題点に鑑みて提案されたもので、被介護者の身体移動を伴わず、該尿受け器を該オムツの間に挟持するだけで、簡単に該尿受け器を着脱できる尿吸引装置を提供できるようにすることを目的とするものである。
【課題を解決するための手段】
【０００７】
上記目的を達成するために本発明に係る尿吸引装置は、該尿受け器が小型で該オムツの間に挟持することができ、該尿受け器に連結された尿吸引管と尿、便検出用信号線を該オムツの開口部に配設できることがもっとも主要な特徴とするものである。
【０００８】
該尿受け器を該オムツの間に挟持するに際し、肌への負担を軽減し、該オムツの緩みによる尿漏れを防ぐために、該尿受け器の下部に突起部を配置し、該尿受け器の背面に弾性体を配置し、排尿時に該尿受け器の肌面接触圧力を（２０ｇ／ｃｍ２）以上にするのが妥当である。
【０００９】
尿検出用電極を、肌面との接触による誤動作を避けるため、尿吸引パイプの背面に設置すると共に、残尿による誤動作を防ぐため、上部から下方向に向けて設置したことを特徴とするものである。また、該オムツの湿りによる誤動作を防ぐため、便検出用電極を該尿受け器の下端部に配置した凹み部の内側に設置したことを特徴とするものである。
【発明の効果】
【００１０】
本発明に係る尿吸引装置の該尿受け器によれば、被介護者の体位の移動を伴うことなく、軽く該オムツを緩めて、該尿受け器を挟持するだけで、簡単に着脱できるという利点がある。これにより、介護者の負担を軽減し、また、被介護者にとっても該尿受け器を装着しているという違和感がなく、介護者への気使いも軽減されるという効果もある。
【００１１】
排便の意思表示のできない被介護者に対しても本発明に係る尿吸引装置の該尿受け器によれば、便を検出し、介護者に報知する手段を持つことで、介護者は被介護者を気にすることなく、他の仕事に専念することができる。
【図面の簡単な説明】
【００１２】
【図１】は本発明の実施例１に係る尿吸引装置の概略構成図である。
【図２】は本発明の実施例１に係る尿吸引装置の尿受け器の平面図である。
【図３】は本発明の実施例１に係る尿吸引装置の尿受け器の側面図である。
【図４】は本発明の実施例１に係る尿吸引装置のコントローラーの概念図である。
【図５】は本発明の実施例１に係る尿吸引装置の動作状態図である。
【発明を実施するための最良の形態】
【００１３】
以下、本発明に係る尿吸引装置の好ましい実施の形態を図面に基づいて説明する。
【実施例１】
【００１４】
図１は、本発明の尿吸引装置の概略構成図であって、図中符号１は該尿受け器１の装着位置を示す。本実施例１での「オムツ」とはオムツカバー９と尿パッド１０で構成されたものである。
【００１５】
リザーブタンク２は着脱可能な蓋体と螺合により密閉されており、該蓋体１１から該尿受け器１と前記尿吸引管５で連結されており、また、負圧発生源である吸引ポンプ３と該吸引管６で連結されている。該コントローラー４は該尿受け器１からの該尿、該便検出用信号線７で連結されている。
【００１６】
また、前記リザーブタンク２の該蓋体１１と満杯検出用信号線８で繋がっている。該満杯検出用信号線８は該蓋体１１に窄孔された孔に気密に挿嵌されており、先端に満杯検出用の電極２０、２５を配設している。該尿受け器１は該尿パッド１０の内側に装着され、外側を該オムツカバー９で固定される。
【００１７】
該尿受け器１を装着する時の位置決めは該尿受け器１の底部が該尿パッド１０に当たるところまで下げることにより正確におこなわれる。また、該尿受け器１に連結されている該尿吸引管５および該尿、該便検出用信号線７は該オムツカバー９の上側開口部より導出されるため、該オムツの形状変更が不要で、配設による身体への違和感がない。
【００１８】
図２は該尿受け器１の平面図を示し、本実施例１によれば尿受け容器１２は合成樹脂を成型したもので、該尿受け容器１２の肌に接触する面は半径５mm以上の曲面とし、肌への接触面積を多くして、押し痕が長期間残らないものとする。また、この該尿受け容器は柔軟な合成樹脂で作製し、排尿時に空気圧等により硬直させて使用することができるのは勿論のことである。
【００１９】
また、上部に換気孔１４を設け、排尿終了から該コントローラー４内部のタイマーにより一定時間、（本実施例１においては略１０分間）吸引動作を継続させ、該換気孔１４からの吸引空気により陰部の蒸れを防止する。
【００２０】
また、下端部に配置した前記凹み部１５は該便検出用電極１９、２０が該オムツの湿り等による誤検出の防止用である。該便検出用電極１９、２０は下端部に配置した該凹み部１５の内側にあり、該便検出用電極２０は該尿検出用電極２０および該満杯検出用電極２０と電気的に共通である。ちなみに該尿、該便、該満杯検出用電極（１９、２０、２１、２５）は錆防止のため、金めっきが施されている。
【００２１】
該尿受け器１の中心に金属製または合成樹脂製の尿吸引パイプ１３があり、柔軟な合成樹脂製の該尿吸引管５と着脱可能に挿嵌される。また、該尿、該便検出用電極１９、２０、２１のコネクター１８があり、該尿、該便検出用信号線７と着脱可能に挿嵌される。
【００２２】
図３は該尿受け器１の側面図を示す。該尿受け容器１２の下部に配置した該突起部１６は尿漏れを防止するためのものである。該尿検出用電極２０、２１は肌の接触による誤動作を防止のため、該尿吸引パイプ１３の背面に設置する。また、排尿停止後の該尿検出用電極２０、２１間の導通を速やかに解消する為、検出部の少なくとも片方、または両方を上部から下方に向かって設置する。
【００２３】
該尿受け器１を肌面に密着させ、尿漏れを防止するため、本実施例１では該弾性体１７を用いて、該オムツの緩みがあっても排尿時に(２０ｇ／ｃｍ２)以上の該肌面接触圧力を維持できるようにする。
該弾性体は排尿時のみ加圧されるようにコントロールしても良いのは勿論のことである。
【００２４】
図４は該コントローラー４の概略を示し、図５は該コントローラー４の動作の一例を示す。該コントローラー４の入力と出力の関係はマイコンのプログラムによって様々な方法を実施することができるが、ここでは本実施例１を示す。
【００２５】
図１の尿吸引装置全体の動作を図４および図５に基づいて説明する。図５の表示ランプ作動表は表示ランプの動作状態を概念的に図表に表したものである。同様に警報ブザー作動表は警報ブザーの動作状態を概念的に図表に表したものである。
【００２６】
図４において該コントローラー４に入力として該尿検出用電極２１、該便検出用電極１９、該満杯検出用電極２５と該入力共通線２０が信号線を介して繋がっている。出力として該吸引ポンプ３、該表示ランプ２２、警報ブザー２３と出力共通線２４が繋がっている。
【００２７】
尿、便、満杯の検出方法はそれぞれの電極間２１―２０、１９―２０、２５―２０の抵抗値を測定することにより判別され、抵抗値１KΩ以下をＯＮとする。
【００２８】
図３において排尿が始まると該尿受け器１の下部に尿が溜まり、該尿検出用電極２１と２０の間の抵抗値が下がり（抵抗値１KΩ以下）、尿検出信号が図４に示す該コントローラー４に入力され、抵抗値が検出されることにより、尿検出が認識され、入力がＯＮとなる。
【００２９】
図５において入力条件２の尿検出ＯＮ、便検出ＯＦＦ、満杯検出ＯＦＦに該当し、出力として図４に示す該コントローラー４に付加された該表示ランプ２２が点燈し、該吸引ポンプ３が作動する。該吸引ポンプ３の作動により図１に示す該吸引管６に負圧が発生し、該吸引管６に連結された該リザーブタンク２内を負圧にする。
【００３０】
該リザーブタンク２に連結された該尿吸引管５が負圧になり、該尿吸引管５に連結された該尿受け器１の図３に示す該吸引パイプ１３から尿を吸引する。吸引された尿は図１に示す該リザーブタンク２に溜められる。
【００３１】
図３に示す通り排尿が停止すると該尿検出用電極２０、２１間の抵抗値が上がり（１KΩ以上）、尿検出信号が図４に示す該コントローラー４に入力され、抵抗値が高いことが検出されることにより、尿検出ＯＦＦが認識される。
【００３２】
これは図５に示す入力条件１に該当するが、尿検出がＯＮからＯＦＦに変わった時は陰部の蒸れ防止の為、該コントローラー４内部のタイマーにより一定時間（本実施例１では略１０分間）該吸引ポンプ３を継続して作動させる。該表示ランプ２２も同様に点燈させる。
【００３３】
便が該尿受け器１の下端部に配置された該凹み部１５を通過して該便検出用電極１９、２０間の抵抗値が下がる（１KΩ以下）と便検出信号が図４に示す該コントローラー４に入力され、抵抗値が検出されることにより、便検出が認識され、入力がＯＮとなる。
【００３４】
図５において入力条件３、４に該当し、尿検出のＯＮ、ＯＦＦにかかわらず、便検出ＯＮ、満杯検出ＯＦＦの出力を作動させる。即ち、図４に示す該吸引ポンプ３を停止する。また、出力として該コントローラー４に付加された該表示ランプ２２が点滅し、同じく該コントローラー４に付加された該警報ブザー２３がピーピーと鳴り、便の発生であることを介護者に知らせる。
【００３５】
図１において該リザーブタンク２の蓄尿量が満杯になると該満杯検出用電極２５、２０間の抵抗値が下がり（１KΩ以下）、満杯検出信号が図４に示す該コントローラー４に入力され、抵抗値が検出されることにより、満杯検出が認識され、入力がＯＮとなる。
【００３６】
図５において入力条件５、６、７、８に該当し、尿検出のＯＮ、ＯＦＦにかかわらず、また、便検出ＯＮ、ＯＦＦにかかわらず、満杯検出ＯＮの出力を作動させる。
【００３７】
即ち、図４に示す該吸引ポンプ３を停止する。また、出力として該コントローラー４に付加された該表示ランプ２２が短く点滅し、同じく該コントローラー４に付加された警報ブザー２３がピッピッと鳴り、該リザーブタンク２の尿が満杯になったことを介護者に知らせる。
【００３８】
本実施例１において、該尿、該便、該満杯検出方法として電極間の抵抗値の変化を利用したが、光、音、空気圧、温度、湿度、等の自然現象の変化を利用できるのは勿論のことである。
【産業上の利用可能性】
【００３９】
本発明の尿吸引装置は介護用に限らず、頻尿で足腰が悪く、トイレに行くことが困難な健常者にも適用されるのは勿論のことである。その場合はオムツの替わりにパンツを着用しても良い。
【符号の説明】
【００４０】
１・・・尿受け器
２・・・リザーブタンク
３・・・吸引ポンプ
４・・・コントローラー
５・・・尿吸引管
６・・・吸引管
７・・・尿、便検出用信号線
８・・・満杯検出用信号線
９・・・オムツカバー
１０・・・尿パッド
１１・・・蓋体
１２・・・尿受け容器
１３・・・尿吸引パイプ
１４・・・換気孔
１５・・・凹み部
１６・・・突起部
１７・・・尿受け器押圧用弾性体
１８・・・信号線接続用コネクター
１９・・・便検出用電極
２０・・・尿、便、満杯検出用電極共通線
２１・・・尿検出用電極
２２・・・表示ランプ
２３・・・警報ブザー
２４・・・出力用機器の共通線
２５・・・満杯検出用電極
【図１】
2015092945.tif 000003
【図２】
2015092945.tif 000004
【図３】
2015092945.tif 000005
【図４】
2015092945.tif 000006
【図５】
2015092945.tif 000007